(57)【要約】      （修正有）【課題】異なる体験をもたらす映画シアタを統合することによって多次元体験をもたらすシネマシティを提供する。【解決手段】複数の映画シアタが、建物内に設けられている。各映画シアタは、各映画シアタに特有のテーマを有しており、映画の内容および映画シアタの内装が、テーマに適合する。この映画シアタは、４Ｄ映画シアタ、５Ｄ映画シアタ、フライト映画シアタ、災害体験映画シアタ、インタラクティブ映画シアタ、宇宙空間映画シアタ、およびマジックレストランを含む。シアタの有機的な統合が、エリアの使用を最適化し、ランドエリアを節約し、長い距離を歩くことによる来館者の疲労を防ぐ。各映画シアタのステージ特殊効果、映画の特殊効果、および娯楽施設は、有機的に統合されている。種々の映画シアタが、種々の体験を与え、それによって建物全体において全範囲の知覚の楽しみを来館者にもたらす。【選択図】図１
0003182729.tif 000002
【実用新案登録請求の範囲】
【請求項１】
少なくとも２つの映画シアタが、建物内に配置され、各映画シアタは、各映画シアタに特有のテーマを有しており、映画の内容および前記映画シアタの内装が、前記テーマに適合することを特徴とする、ワンストップ多次元体験をもたらす科学技術シネマシティシステム。
【請求項２】
前記映画シアタが、４Ｄ映画シアタ、５Ｄ映画シアタ、フライト映画シアタ、災害体験映画シアタ、インタラクティブ映画シアタ、宇宙空間映画シアタ、およびマジックレストランを含むことを特徴とする、請求項１に記載のワンストップ多次元体験をもたらす科学技術シネマシティシステム。
【請求項３】
前記映画シアタが、待機エリア、リハーサルエリア、主上演ホール、テーマ販売ホール、および後方サービスエリアを含むことを特徴とする、請求項１に記載のワンストップ多次元体験をもたらす科学技術シネマシティシステム。
【請求項４】
前記建物が、地上に３つのフロア構造、および地下に２つのフロア構造を含み、前記建物は、第１の側部および第２の側部を有し、前記フライト映画シアタは、前記建物の前記第２の側部から離れている前記第１の側部の一端に位置し、空間は、前記建物の前記地上に第１のフロアおよび第２のフロア、ならびに地下に第１のフロアを含み、移動機器の機室、開いている環境中の座席、２７０°ドーム投影、サラウンド６チャンネルサブウーファーサウンドシステム、および前後に移動できる座席が、前記フライト映画シアタ内に設けられていることを特徴とする、請求項２に記載のワンストップ多次元体験をもたらす科学技術シネマシティシステム。
【請求項５】
前記宇宙空間映画シアタが、前記フライト映画シアタと前記第２の側部の間に位置し、前記空間が、前記地上に前記第１のフロアを含み、前記宇宙空間映画シアタが、３Ｄプロジェクタ機器、２色の眼鏡および超速度リアルタイム映画レンダリングサーバおよびモーションプラットフォーム、立体映画プロジェクタ機器、フライトシミュレーション機器、ならびに音楽再生システムを使用することによって、宇宙空間フライトをシミュレートし、来館者室は、宇宙カプセルをシミュレートすることを特徴とする、請求項４に記載のワンストップ多次元体験をもたらす科学技術シネマシティシステム。
【請求項６】
前記４Ｄ映画シアタが、前記フライト映画シアタと前記第２の側部の間に位置し、前記空間が、前記建物の前記地上に前記第２のフロアを含み、前記４Ｄ映画シアタが、３Ｄプロジェクタ機器、動的座席および落下装置、揺動装置、エアブラスト装置、水噴霧装置、ならび前記動的座席に設けられた脚接触装置を有することを特徴とする、請求項４に記載のワンストップ多次元体験をもたらす科学技術シネマシティシステム。
【請求項７】
前記５Ｄ映画シアタが、前記建物の前記第１の側部および前記フライト映画シアタの上部に位置し、前記空間が、前記建物の前記地上に第３のフロアを含み、５Ｄ映画が、ライブパフォーマンスを加えた４Ｄ映画であることを特徴とする、請求項４に記載のワンストップ多次元体験をもたらす科学技術シネマシティシステム。
【請求項８】
前記インタラクティブ映画シアタが、前記建物の前記第２の側部に位置し、前記空間が、前記建物の前記地上に前記第２のフロアを含み、前記インタラクティブ映画シアタが、一連の車両、レールに沿って一定速度で移動可能であると共に全方向に回転可能である移動装置、解放座席、プロジェクタ装置、３Ｄ映画プロジェクタ装置、および音楽再生システムを含むことを特徴とする、請求項４に記載のワンストップ多次元体験をもたらす科学技術シネマシティシステム。
【請求項９】
前記災害体験映画シアタが、前記建物の前記第２の側部に位置し、前記空間が、前記建物の前記地上に前記第３のフロアを含み、前記災害体験映画シアタが、移動機器の機室、解放座席、１９０°の放物曲線ドーム、３Ｄ映画プロジェクタ装置、音楽再生システム、複数の自由度を有するレール上を移動可能である移動プラットフォーム、および座席揺動装置を含むことを特徴とする、請求項４に記載のワンストップ多次元体験をもたらす科学技術シネマシティシステム。
【請求項１０】
前記マジックレストランが、前記フライト映画シアタと前記第２の側部の間に位置し、前記空間が、前記建物の前記地上に前記第２のフロアを含み、前記マジックレストランが、プロジェクタ装置、３Ｄ映画プロジェクタ装置、音楽再生システム、およびダイニングテーブルの机上に設けられたタッチスクリーンを含んでおり、各ダイニングテーブルの前記タッチスクリーンが、互いに相互接続され、バックエンドでホストコンピュータに接続されることを特徴とする、請求項４に記載のワンストップ多次元体験をもたらす科学技術シネマシティシステム。
【請求項１１】
ＬＥＤ表示画面が、前記映画シアタおよび前記建物の内側の壁に設けられることを特徴とする、請求項４に記載のワンストップ多次元体験をもたらす科学技術シネマシティシステム。
【考案の詳細な説明】
【技術分野】
【０００１】
本実用新案登録出願は、総合シネマシティに関する。詳細には、本実用新案登録出願は、異なる体験をもたらす映画シアタを統合することによって多次元体験をもたらすシネマシティに関する。
【背景技術】
【０００２】
伝統的な映画シアタでは、観客は、映画を観るために固定座席に着席する。体験の仕方および知覚の楽しみは、比較的単調であり、伝統的な映画シアタは、映画機能と娯楽機能の両方を統合しない。したがって、来館者は、来館者が映画を観るときに、娯楽的出し物を楽しむことができない。
【０００３】  （公序良俗違反につき、不掲載）などの現在稼働中の映画シアタは、多次元体験をもたらし、これは、多次元体験シアタ内の複雑で動的な負荷により単一の建物のやり方を用いる。シアタ内の娯楽施設の負荷は、建物構造から離れており、すなわち１つの映画体験シアタが、１つの単一の建物にあって３Ｄ、４Ｄまたは５Ｄ等などの単一のエンターテイメントの形態を提供する。分散制御のやり方は、費用に増大、不便な管理、および来館者の移動中の疲労になる。
【考案の概要】
【考案が解決しようとする課題】
【０００４】
本実用新案出願の目的は、従来技術の欠点を克服し、異なる映画鑑賞の形態をもたらす映画シアタを統合することによって多次元体験をもたらすことができる映画シアタを提供することである。
【課題を解決するための手段】
【０００５】
本出願の技術的解決策は、ワンストップ多次元体験をもたらす科学技術シネマシティである。少なくとも２つの映画シアタが、建物内に設けられている。各映画シアタは、各映画シアタに特有のテーマを有しており、映画の内容および映画シアタの内装が、テーマに適合する。
【０００６】
好ましくは、この映画シアタは、４Ｄ映画シアタ、５Ｄ映画シアタ、フライト映画シアタ、災害体験映画シアタ、インタラクティブ映画シアタ、宇宙空間映画シアタ、およびマジックレストランを含む。
【０００７】
好ましくは、この映画シアタは、待機エリア、リハーサルエリア、主上演ホール、テーマ販売ホール、および後方サービスエリアを含む。
【０００８】
好ましくは、この建物は、地上に３つのフロア構造、および地下に２つのフロア構造を含む。この建物は、第１の側部および第２の側部を有する。フライト映画シアタは、建物の第２の側部から離れている第１の側部の一端に位置する。空間は、建物の地上に第１のフロアおよび第２のフロア、ならびに地下に第１のフロアを含む。移動機器の機室、開いている環境中の座席、２７０°ドーム投影、サラウンド６チャンネルサブウーファーサウンドシステム、および前後に移動できる座席が、フライト映画シアタ内に設けられる。
【０００９】
好ましくは、宇宙空間映画シアタは、フライト映画シアタと第２の側部の間に位置し、空間が、建物の地上に第１のフロアを含む。宇宙空間映画シアタは、３Ｄプロジェクタ機器、２色の眼鏡および超速度リアルタイム映画レンダリングサーバおよびモーションプラットフォーム、立体映画プロジェクタ機器、フライトシミュレーション機器、ならびに音楽再生システムを使用することによって、宇宙空間フライトをシミュレートする。
【００１０】
好ましくは、４Ｄ映画シアタは、フライト映画シアタと第２の側部の間に位置する。空間は、建物の地上に第２のフロアを含む。４Ｄ映画シアタは、３Ｄプロジェクタ機器、動的座席および落下装置、揺動装置、エアブラスト装置、水噴霧装置、および動的座席に設けられた脚接触装置を有する。
【００１１】
好ましくは、５Ｄ映画シアタは、建物の第１の側部およびフライト映画シアタの上部に位置する。空間は、建物の地上に第３のフロアを含む。５Ｄ映画は、ライブパフォーマンスを加えた４Ｄ映画である。
【００１２】
好ましくは、インタラクティブ映画シアタは、建物の第２の側部に位置する。空間は、フロア建物の地上に第２を含む。インタラクティブ映画シアタは、一連の車両、レールに沿って一定速度で移動可能であると共に全方向に回転可能である移動装置、解放座席、プロジェクタ装置、３Ｄ映画プロジェクタ装置、および音楽再生システムを含む。
【００１３】
好ましくは、マジックレストランは、フライト映画シアタと第２の側部の間に位置する。空間は、建物の地上に第２のフロアを含む。マジックレストランは、プロジェクタ装置、３Ｄ映画プロジェクタ装置、音楽再生システム、およびダイニングテーブルの机上に設けられたタッチスクリーンを含んでおり、各ダイニングテーブルのタッチスクリーンは、互いに相互接続され、バックエンドでホストコンピュータに接続される。
【００１４】
好ましくは、災害体験映画シアタは、建物の第２の側部に位置する。空間は、建物の地上に第３のフロアを含む。災害体験映画シアタは、移動機器の機室、解放座席、１９０°の放物曲線ドーム、３Ｄ映画プロジェクタ装置、音楽再生システム、複数の自由度を有するレール上を移動可能である移動プラットフォーム、および座席揺動装置を含む。
【考案の効果】
【００１５】
本考案の有利な効果は、複数のシアタが、異なるシアタがダイナミックに分散される単一の建物構造内に設けられることである。空間は、合理的につなげられ、同じ建物内でランダムに分散され、それによってシアタ内の設備および人の流れによってもたらされる建物の負荷要求に打ち勝つ。これは、約２０００人を同時に収容することができる。シアタの有機的な統合が、使用エリアを最適化し、ランドエリアを節約し、長い距離を歩くことによる来館者の疲労を防ぐ。各映画シアタのステージ特殊効果、映画の特殊効果、および娯楽施設は、有機的に統合されている。種々の映画シアタが、種々の体験を与え、それによって建物全体において全範囲の知覚の楽しみを来館者にもたらす。全てのシアタが、同じ建物構造内に統合されているので、集中管理は、独立した分散管理の計画より優れている。プログラムおよび人々の全体の管理は、管理のやり方を最適化することによって最適化することができる。
【図面の簡単な説明】
【００１６】
【図１】図１は、本考案の構造図である。
【考案を実施するための形態】
【００１７】
本考案を、添付図面を参照してさらに例示する。
【００１８】
本考案は、ワンストップ多次元体験をもたらす科学技術シネマシティに関する。複数の（２個より多い）映画シアタ２が、建物１内に設けられている。各映画シアタ２は、各映画シアタに特有のテーマを有しており、映画の内容および映画シアタの内装は、一緒になってそのテーマを反映する。各映画シアタ２の機能は、待機エリア３１、リハーサルエリア３２、主上演ホール３３、テーマ販売ホール３４、および後方サービスエリア３５、または他のサービスが含まれる同じ建物のあるエリア内に統合される。テーマレストラン２７および様々な種類の小売サービスなどの他の支持機能も、建物１内に設けられる。来館者が通過する各映画シアタの入口から出口への経路は、待機エリア３１、リハーサルエリア３２、主上演ホール３３、および出口通路に分割される。長時間待つことによって引き起こされる観客の疲労および悪感情をなくすために、インタラクティブゲームが、観客待機エリア３１から提供され、様々な種類のインタラクティブゲームが、待機エリア３１内に設けられ、ストーリーの背景およびいくつかの安全上の注意が、リハーサルエリア３２内で紹介される。
【００１９】
ＬＥＤ表示画面は、映画シアタ２および建物１の内部の壁に設けられて、映画シアタのテーマに関連している映像をその場で再生する。
【００２０】
映画シアタ２は、フライト映画シアタ２１、宇宙空間映画シアタ２２、４Ｄ映画シアタ２３、５Ｄ映画シアタ２４、インタラクティブ映画シアタ２５、災害体験映画シアタ２６、およびマジックレストラン２７を含む。映画シアタは、それらの違いに従ってダイナミックに分散される。各映画シアタの空間は、建物１内で合理的につなげられ、ランダムに分散される。この建物１は、地上に４つのフロア構造、および地下に１つのフロア構造を含む。建物１の真ん中は、中庭１１への広場であり、中庭１１は、地上の第１のフロアを介して第１の側部１２および第２の側部１３を連絡する。
【００２１】
フライト映画シアタ２１は、建物の第２の側部１３から離れている第１の側部１２の一端に位置する。空間は、建物１の地上に第１のフロアおよび第２のフロア、および地下に第１のフロアを含む。移動機器の機室、開いている環境中の座席、２７０°ドーム投影、サラウンド６チャンネルサブウーファーサウンドシステム、および前後に移動できる座席が、フライト映画シアタ２１内に設けられる。大型の全次元投影空間では、映画シアタ内の観客の座席は、空中に人を吊り、巨大な球状の映画スクリーンに近づけさせるような機械的原理を用いて持ち上げられる。吊るされた観客の座席は、多次元の動き、ずれの実現、回転、加速の動きおよび減速の動きを行うことができ、その動きを音、光、電気、香り、水、および霧の様々な特殊な効果、ならびに他の特殊シーンの効果を有する映画のアクションと同期させることができる。映画は、３Ｄ映画または２Ｄ映画であってもよく、高角で多次元で見渡すことができる。映画内で演じられているアクションに合わせることによって持ち上げおよび急降下の知覚効果がある。来館者は、いくつかのあるシーンの上を安全な環境で飛行する体験を得ることができる。通常、映画のストーリーのテーマは、特別な地域文化または詳細に設定されたストーリーのラインと組み合わせることができる。この映画シアタは、機械的装置は重く、負荷が大きいので、第１のフロアに位置する。
【００２２】
宇宙空間映画シアタ２２は、フライト映画シアタ２１と第２の側部１３の間に位置する。空間は、建物１の地上に第１のフロアを含む。宇宙空間映画シアタは、３Ｄプロジェクタ機器、２色の眼鏡および超速度リアルタイム映画レンダリングサーバおよびモーションプラットフォーム、立体映画プロジェクタ機器、フライトシミュレーション機器、ならびに音楽再生システムを使用することによって宇宙空間フライトをシミュレートする。来館者室は、宇宙カプセルをシミュレートする。宇宙空間フライトの特定のマルチシーンシミュレーションが生成され、深い宇宙の体験を楽しむことができる来館者に提供される。映画は、複数の部分を含み、各部分は、複数のプログラムを含む。異なる部分の組み合わせが、コンピュータのランダムな選択によって形成されてもよい。したがって、人は、異なる時間に、異なる感覚的な体験を得ることができる。この映画シアタは、大きな負荷により第１のフロアに位置する。
【００２３】
４Ｄ映画シアタ２３は、フライト映画シアタ２１と第２の側部１３の間に位置する。空間は、建物１の地上に第２のフロアを含む。４Ｄ映画シアタは、３Ｄプロジェクタ機器、動的座席および落下装置、揺動装置、エアブラスト装置、水噴霧装置、ならびに動的座席に設けられている脚接触装置を含む。動的座席は、多次元の動き、ずれの実現、回転、加速の動きおよび減速の動きを行うことができ、ならびにその動きを音、光、電気、香り、水、および霧の様々な特殊な効果、ならびに他の特殊シーンの効果を有する映画のアクションと同期させることができる。映画シアタ内の座席の機械的駆動は、比較的単純であり、移動負荷が比較的低い。この例では、建物構造の設計および負荷の分布が第２のフロア上にあることが有利である。待機エリア、リハーサルエリア、主上演ホール、および出口通路は、合理的に配置される。「３次元立体トラッキングレンダリング」技術が適用されて、画像内の立体シーンが、来館者の移動経路に従って遠近法関係を自動的に変換することができ、仮想シーン（３次元画像）と自然のセット（生の景色）の間で一貫し、連続した遠近法関係を適切に維持するようになっており、それによって画像の現実シーンを大きく強化する。
【００２４】
５Ｄ映画シアタ２４は、建物１の第１の側部１１およびフライト映画シアタ２１の上部に位置する。空間は、建物の地上に第３のフロアを含む。４Ｄ映画は、立体映画とスタント映画シアタの組み合わせの製造品である。５Ｄ映画は、ライブパフォーマンスの加えた４Ｄ映画である。観客の参加が、画面の画像とライブパフォーマンスの間で切り替えることによって十分に興味を引き起こされ、それによって完全にパフォーマンス観察体験に没頭させことを実現する。スタントショー、ハイロープ、ビデオチャーティング、特殊効果、３Ｄコンピュータグラフィック、イントラクティブ座席、および震動座席の機能が統合されて、現実のシナリオと３次元映画のシナリオを継ぎ目なく結ぶ。人のパフォーマンスおよびプロップパフォーマンスのために、観客の頭上に空間を残すように後方投影が使用される。投影上のコラムの干渉を解決するために、反射投影が使用される。人がスクリーンの画像に出入りすることができるように、持ち上げ装置が、ステージ上に設けられてもよい。立体ビジョン画像に加えて、スクリーニング箇所は、稲妻の閃光、スモッグ、雪片、香り等などの自然現象をシミュレートすることもできる。観客の座席は、落下、揺動、水噴霧、脚接触等のアクションを発生させることもできる。この映画シアタの負荷は、あまり複雑でなく、フライト映画シアタの上部にデザインされている。
【００２５】
インタラクティブ映画シアタ２５は、建物１の第２の側部１２に位置する。空間は、建物１の地上に第２のフロアを含む。インタラクティブ映画シアタは、車両、レールに沿って一定速度で移動可能であると共に全方向に回転可能である移動装置、解放座席、プロジェクタ装置、３Ｄ映画プロジェクタ装置、および音楽再生システムを含む。来館者は、一定の速度で動き、自由に回転でき、特に設計されたレールに沿って移動できる特に設計されたコンパクトな車に着席する。それらは、異なるストーリーシーンを道に沿って通過することになり、各シーンは、テーマの環境で強く詰め込まれている。この環境内で来館者と相互作用するように設計されている異なる点がある。各来館者は、手にレーザーガンを有する。来館者は、レーザーガンを使用することによって、この環境内の種々の目標点を撃つことができる。自動スコア記録システムが、来館者ごとに自動的に採点する。これは、強い双方向性およびエンターテイメントを示す。３Ｄ映画または２Ｄ映画が、種々のテーマ環境内でやはり設計される。映画は、仮想および現実の周囲環境と組み合わされる。現実の目標位置が、仮想の目標位置と組み合わされる。現実のシーンは、エンティティのシーンと組み合わされる。この投影は、立体画像、音響効果、テーマの環境、特殊効果等などの技術的手段によって発生した効果を十分に組み合わせる。
【００２６】
災害体験映画シアタ２６は、建物１の第２の側部１２に位置する。空間は、建物の地上に第３のフロアを含む。災害体験映画シアタ２６は、移動機器の機室、解放セット、１９０°の放物曲線ドーム、３Ｄ映画プロジェクタ装置、音楽再生システム、複数の自由度を有するレール上を移動可能である移動プラットフォーム、および座席揺動装置を含む。仮想の状況および現実の状況を組み合わせた技術を使用して、来館者が、自身、津波、台風、暴風雨、閃光等などの自然災害のシーンを体感することが可能になる。大きい軸流ファンは、液体窒素と組み合わされてトルネードを発生させる。観客エリアは、モーションプラットフォーム上にある。来館者は、自身の実際の感覚を体験することができる。生成された波および実際の水を使用して、津波の発生をシミュレートし、それによって来館者が、非常に鮮明な災害シーンを体験することを可能にする。
【００２７】
マジックレストラン２７は、フライト映画シアタと第２の側部の間に位置する。空間は、建物の地上に第２のフロアを含む。マジックレストラン２７は、プロジェクタ装置、３Ｄ映画プロジェクタ装置、および音楽再生システムを含む。マジックカラーを有するレストラン環境は、最新式のインタラクティブブレイクスルー技術、改良ＲＦＩＤ技術、特殊なエンターテイメント照明、映画レンダリングサーバ、テーマパーク投影、および「オーロラ」と名付けられた一連のホログラフィックプロトタイプ結晶化動力学ライトスクライブを使用することによって作り出される。タッチスクリーンが、ダイニングテーブルの机上に配置されており、各個々のダイニングテーブルのタッチスクリーンは、互いに接続され、バックエンドでホストコンピュータに接続される。ゲストは、机上のタッチスクリーンを通じて食料、給仕の呼び出し、およびサービスの要求を注文する。加えて、来館者は、タッチスクリーンによって他のダイニングテーブルで来館者と共にインタラクティブ活動を行うことができる。来館者は、自分自身でゲームを設計することができ、ダイニングテーブルのそばの家族のメンバーまたは友人、または他のダイニングテーブルのゲストと共に挑戦しがいのある競争的なゲームをすることができる。ダイニングルーム全体内の任意のゲストが、このゲームに参加することができる。
【００２８】
本明細書に記載された実施形態は、本出願の好ましい実施形態であることに理解されたい。本出願の範囲を限定することは意図されていない。本出願のクレームの範囲に従ってなされた全ての均等な変更形態および修正形態は、本出願の範囲内である。
【図１】
0003182729.tif 000003
【手続補正書】
【提出日】平成25年2月4日(2013.2.4)
【手続補正１】
【補正対象書類名】実用新案登録請求の範囲
【補正対象項目名】全文
【補正方法】変更
【補正の内容】
【実用新案登録請求の範囲】
【請求項１】
少なくとも２つの映画シアタが、建物内に配置された科学技術シネマシティシステムであって、
各映画シアタには、各映画シアタに特有のテーマが設定されており、
前記映画シアタは、映画の内容および前記テーマに適合する内装を備えていることを特徴とする、ワンストップ多次元体験をもたらす科学技術シネマシティシステム。
【請求項２】
前記映画シアタが、４Ｄ映画シアタ、５Ｄ映画シアタ、フライト映画シアタ、災害体験映画シアタ、インタラクティブ映画シアタ、宇宙空間映画シアタ、およびマジックレストランを含むことを特徴とする、請求項１に記載のワンストップ多次元体験をもたらす科学技術シネマシティシステム。
【請求項３】
前記映画シアタが、待機エリア、リハーサルエリア、主上演ホール、テーマ販売ホール、および後方サービスエリアを含むことを特徴とする、請求項１に記載のワンストップ多次元体験をもたらす科学技術シネマシティシステム。
【請求項４】
前記建物が、地上に３つのフロア構造、および地下に２つのフロア構造を含み、前記建物は、第１の側部および第２の側部を有し、前記フライト映画シアタは、前記建物の前記第２の側部から離れている前記第１の側部の一端に位置し、空間は、前記建物の前記地上に第１のフロアおよび第２のフロア、ならびに地下に第１のフロアを含み、移動機器の機室、開いている環境中の座席、２７０°ドーム投影、サラウンド６チャンネルサブウーファーサウンドシステム、および前後に移動できる座席が、前記フライト映画シアタ内に設けられていることを特徴とする、請求項２に記載のワンストップ多次元体験をもたらす科学技術シネマシティシステム。
【請求項５】
前記宇宙空間映画シアタが、前記フライト映画シアタと前記第２の側部の間に位置し、前記空間が、前記地上に前記第１のフロアを含み、前記宇宙空間映画シアタが、３Ｄプロジェクタ機器、２色の眼鏡および超速度リアルタイム映画レンダリングサーバおよびモーションプラットフォーム、立体映画プロジェクタ機器、フライトシミュレーション機器、ならびに音楽再生システムを使用することによって、宇宙空間フライトをシミュレートし、来館者室は、宇宙カプセルをシミュレートすることを特徴とする、請求項４に記載のワンストップ多次元体験をもたらす科学技術シネマシティシステム。
【請求項６】
前記４Ｄ映画シアタが、前記フライト映画シアタと前記第２の側部の間に位置し、前記空間が、前記建物の前記地上に前記第２のフロアを含み、前記４Ｄ映画シアタが、３Ｄプロジェクタ機器、動的座席および落下装置、揺動装置、エアブラスト装置、水噴霧装置、ならび前記動的座席に設けられた脚接触装置を有することを特徴とする、請求項４に記載のワンストップ多次元体験をもたらす科学技術シネマシティシステム。
【請求項７】
前記５Ｄ映画シアタが、前記建物の前記第１の側部および前記フライト映画シアタの上部に位置し、前記空間が、前記建物の前記地上に第３のフロアを含み、５Ｄ映画が、ライブパフォーマンスを加えた４Ｄ映画であることを特徴とする、請求項４に記載のワンストップ多次元体験をもたらす科学技術シネマシティシステム。
【請求項８】
前記インタラクティブ映画シアタが、前記建物の前記第２の側部に位置し、前記空間が、前記建物の前記地上に前記第２のフロアを含み、前記インタラクティブ映画シアタが、一連の車両、レールに沿って一定速度で移動可能であると共に全方向に回転可能である移動装置、解放座席、プロジェクタ装置、３Ｄ映画プロジェクタ装置、および音楽再生システムを含むことを特徴とする、請求項４に記載のワンストップ多次元体験をもたらす科学技術シネマシティシステム。
【請求項９】
前記災害体験映画シアタが、前記建物の前記第２の側部に位置し、前記空間が、前記建物の前記地上に第３のフロアを含み、前記災害体験映画シアタが、移動機器の機室、解放座席、１９０°の放物曲線ドーム、３Ｄ映画プロジェクタ装置、音楽再生システム、複数の自由度を有するレール上を移動可能である移動プラットフォーム、および座席揺動装置を含むことを特徴とする、請求項４に記載のワンストップ多次元体験をもたらす科学技術シネマシティシステム。
【請求項１０】
前記マジックレストランが、前記フライト映画シアタと前記第２の側部の間に位置し、前記空間が、前記建物の前記地上に前記第２のフロアを含み、前記マジックレストランが、プロジェクタ装置、３Ｄ映画プロジェクタ装置、音楽再生システム、およびダイニングテーブルの机上に設けられたタッチスクリーンを含んでおり、各ダイニングテーブルの前記タッチスクリーンが、互いに相互接続され、バックエンドでホストコンピュータに接続されることを特徴とする、請求項４に記載のワンストップ多次元体験をもたらす科学技術シネマシティシステム。
【請求項１１】
ＬＥＤ表示画面が、前記映画シアタおよび前記建物の内側の壁に設けられることを特徴とする、請求項４に記載のワンストップ多次元体験をもたらす科学技術シネマシティシステム。
【手続補正２】
【補正対象書類名】明細書
【補正対象項目名】０００３
【補正方法】変更
【補正の内容】
【０００３】
現在稼働中の映画シアタは、多次元体験をもたらし、これは、多次元体験シアタ内の複雑で動的な負荷により単一の建物のやり方を用いる。シアタ内の娯楽施設の負荷は、建物構造から離れており、すなわち１つの映画体験シアタが、１つの単一の建物にあって３Ｄ、４Ｄまたは５Ｄ等などの単一のエンターテイメントの形態を提供する。分散制御のやり方は、費用に増大、不便な管理、および来館者の移動中の疲労になる。